(57)【要約】【課題】加熱温度の設定操作が比較的短時間かつ簡単に行うことができ、例えば年配者でも容易に細かな加熱温度の設定が行うことができる電気加熱装置を提供する。【解決手段】使用者は、１０℃単位設定キー８を押すことにより、所望の上位桁の加熱温度を設定し、次に、１℃単位設定キー８を押すことにより、所望の下位桁の加熱温度を設定する。下位桁の加熱温度が設定されると、使用者により設定された上位桁と下位桁の温度数値が操作／表示部３の温度表示部１０ａに表示される。その後、使用者が、加熱モードを選択して決定キー６を押すと、選択した加熱モードにより加熱が実行される。【選択図】図１
0003180874.tif 000002
【実用新案登録請求の範囲】
【請求項１】
被加熱物が載置されるプレート体と、
前記プレート体の下部に設けられた加熱体と、
前記プレート体の温度を検知する温度検出手段と、
設定温度及び前記温度検出手段による検知情報を受けて、前記加熱体に供給される電力  を制御する電力制御手段と、
前記加熱体の加熱温度を、前記電力制御手段を介して設定する設定キーと、
を備えた電気加熱装置において、
前記設定キーとして、１０℃単位設定キーと１℃単位設定キーとを設けたことを特徴とする電気加熱装置。
【考案の詳細な説明】
【技術分野】
【０００１】  本考案は、細かな加熱温度の設定を可能にした電気加熱装置に関するものである。
【背景技術】
【０００２】  現状、電気加熱装置として電熱コイル構造や電磁加熱構造など、各種の構成のものが存在している。一般的な調理用のものでは、調理内容に関する設定キーをオンすると、その調理に適した温度に自動設定され、電力制御部において加熱体の加熱温度制御が行われるようになっている。【０００３】  また、調理内容による温度自動設定以外にも温度設定が行える構成のものもあるが、そのほとんどは、使用者の便宜を図るため、８０℃，１００℃，２００℃、あるいは強・中・弱など、大雑把な温度設定ができるようになっている。【０００４】  ところで、現在、いろいろな装置において特定の用途に機能が絞られたものが要求されているが、電気加熱装置でも特殊用途の電気加熱装置に対応したものが要求されてきていいる。例えば、特許文献１の加熱装置には、茶釜を加熱する茶道用風炉に用いられる電磁加熱装置が記載されている。【０００５】  茶道のみならず、お茶の湯温は、お茶を美味く飲むためには茶葉の種類などにより微妙な湯温設定が要求される。このため、従来の調理用の加熱装置における温度設定よりも細かな設定が要求される。同様に、電気加熱装置により酒の燗を行う場合にも、酒の種類や好みの温度にするために細かな設定が要求される。【０００６】  そこで使用者が自分で温度設定することができるようにするため、加熱温度設定キーを使用者の希望する温度になるまで順次押していき、温度設定を行うことも考えられるが、この作業は煩雑であると云える。
【先行技術文献】
【特許文献】
【０００７】
【特許文献１】特開２０１０−５４１５０号公報
【考案の概要】
【考案が解決しようとする課題】
【０００８】  従来の家庭用の電気加熱装置における加熱温度の設定は、電気加熱装置が具備する多種多様の機能に対応して多くの加熱温度設定用のキーが設置され、そのため操作が複雑化／煩雑化している。このことは、特に年配者にとっては、機能が多いという利点に反して使い勝手が悪いという欠点に繋がるといえる。【０００９】  また近年、電気加熱装置は、特許文献１に記載のように、茶道や各種趣味の領域における加熱手段として用いられてきている。これらの繊細な温度感覚が要求される趣味の領域における加熱手段としては、細かな温度設定、例えば１℃単位の温度設定が要求される。ただし、従来の例えば特許文献１に記載の電磁加熱装置では、８０℃の加熱制御を行うとの記載はあるが、細かな加熱温度設定については何ら開示されていない。【００１０】  また、温度設定において、希望する温度になるまで温度設定キーを順次押していき、温度の設定を行うものでは、１℃から数十℃程度の加熱温度に徐々に温度設定するまでには時間が掛かり、作業としては煩雑である。【００１１】  そこで、本考案は、加熱温度の設定操作が比較的短時間かつ簡単に行うことができ、例えば年配者でも容易に細かな加熱温度の設定が行える電気加熱装置を提供することを目的とする。
【課題を解決するための手段】
【００１２】  前記目的を達成するため、本考案に係る電気加熱装置は、被加熱物が載置されるプレート体と、前記プレート体の下部に設けられた加熱体と、前記プレート体の温度を検知する温度検出手段と、設定温度及び前記温度検出手段による検知情報を受けて、前記加熱体に供給される電力を制御する電力制御手段と、前記加熱体の加熱温度を、前記電力制御手段を介して設定する設定キーとを備えた電気加熱装置において、前記設定キーとして、１０℃単位設定キーと１℃単位設定キーとを設けたことを特徴とする。
【考案の効果】
【００１３】  本考案に係る電気加熱装置によれば、１０℃単位設定キーと１℃単位設定キーとにより、加熱温度を１０℃単位と１℃単位で独立して設定することによって、細かな加熱温度設定を、容易な操作で比較的短時間に確実に行うことができる。
【図面の簡単な説明】
【００１４】
【図１】本考案に係る電気加熱装置の実施形態である電磁加熱装置の平面図である。
【図２】本電気加熱装置における概略構成を示すブロック図である。
【図３】本電気加熱装置における加熱動作に関するフローチャートである。
【考案を実施するための形態】
【００１５】  以下、本考案の好適な実施形態を図面に基づいて説明する。
【００１６】  図１において、１は箱状の電磁加熱装置本体（図示せず）の上部に設けられたプレート体、２はプレート体１における加熱部分、３はプレート体１における操作／表示部、４は操作音を発生させるか否かを設定するための操作音オン／オフ・スイッチである。
【００１７】  操作／表示部３において、５は電源のオン／オフを行うための電源キー、６は設定された加熱温度／加熱モードで加熱を開始させる決定キー、７は設定された加熱温度近傍まで急速加熱を行うように加熱駆動させるための急速加熱設定キー、８は加熱温度を１０℃ごとに設定するための１０℃単位設定キー、９は加熱温度を１℃ごとに設定するための１℃単位設定キーである。
【００１８】  さらに操作／表示部３において、１０は、設定中及び設定された加熱温度、または加熱中の温度を表示する温度表示部１０ａと、現在の動作状態を表示する動作表示部１０ｂとからなる表示部である。
【００１９】  図２において、１１はプレート体１の下部の電源加熱装置本体に設けられた電磁加熱体、１２は温度検知手段である熱センサ、１３は、商用電源などの電源１４と電磁加熱体１１とに電気的に接続されて、電磁加熱体１１に印加する電力を調整して電磁加熱体１１を駆動する加熱駆動部、１５は、ＲＯＭ，ＲＡＭなどのメモリ１６およびタイマ１７の機能を有し、各部をコントロールするマイクロコンピュータである。
【００２０】  マイクロコンピュータ１５は、加熱駆動部１３との間でデータの授受を行い、熱センサ１２からの検知温度情報、操作／表示部３からの設定情報、操作／表示部３からのオン／オフ情報などを受けて加熱駆動部１３に駆動データを出力して電磁加熱体１１の発熱制御を行う。マイクロコンピュータ１５は、加熱駆動部１３と共に電磁加熱体１１の電力制御手段としての機能を果たすようになっている。
【００２１】  図３のフローチャートを参照して本実施形態の電磁加熱装置における加熱動作を説明する。
【００２２】  電源キー５が使用者により押されると各部が動作待機状態になる。ここで１０℃単位設定キー８を押すことにより、所望の上位桁の加熱温度が設定される（Ｓ１）。この設定温度の上位数値は操作／表示部３の温度表示部１０ａに表示される（Ｓ２）。次に、１℃単位設定キー９を押すことにより、所望の下位桁の加熱温度が設定される（Ｓ３）。下位桁の加熱温度が設定された後、その設定された上位桁と下位桁の温度数値が、操作／表示部３の温度表示部１０ａに表示される（Ｓ４）。
【００２３】  本例では、加熱温度を７５℃に設定する場合を示しており、操作／表示部３の温度表示部１０ａには、設定操作終了後に「７５℃」と表示される。このようにして加熱温度が設定される。
【００２４】  次に、加熱モードの選択・設定が行われる（Ｓ５）。本例では急速加熱と定常加熱の加熱モードを具備しており、急速に設定された加熱温度近傍まで加熱を行う場合には急速加熱設定キー７を押すことにより、急速加熱モードが設定される（Ｓ５のＹｅｓ）。設定後に決定キー６を押すことにより急速加熱が実行される（Ｓ６）。この加熱状態において、操作／表示部３の動作表示部１０ｂに「加熱中」の表示がなされる。
【００２５】  また、加熱中は、熱センサ１２からの検知温度情報に基づきマイクロコンピュータ１５が、加熱駆動部１３に対して駆動データを出力して電磁加熱体１１の発熱制御を行い、設定温度に達したときに、電磁加熱体１１に対する電力供給を止める（Ｓ８）。ここで加熱動作全体を停止させる場合には、電源キー５を押すことで装置全体の電力供給をオフ状態になる。
【００２６】  急速加熱モードでなく、徐々に加熱していく定常加熱モードを選択する場合には、ステップ（Ｓ５）において、急速加熱設定キー７を押さずに決定キー６を押すことによって定常加熱モードが設定され（Ｓ５のＮｏ）、定常加熱が実行される（Ｓ７）。定常加熱中も上記と同様に、熱センサ１２の検知温度情報に基づきマイクロコンピュータ１５が加熱駆動部１３に対して駆動データを出力して電磁加熱体１１の発熱制御を行い、設定温度に達したときに電磁加熱体１１に対する電力供給を止める（Ｓ８）。加熱動作全体を停止させる場合には、電源キー５を押すことで装置全体の電力供給をオフ状態になる。
【００２７】  このように本実施形態では、１０℃単位設定キー８と１℃単位設定キー９とにより、加熱温度を１０℃単位と１℃単位とで独立して設定することができるため、細かな加熱温度設定を容易な操作にて比較的短時間で確実に行うことができる。
【産業上の利用可能性】
【００２８】  本考案は、細かに加熱温度を設定することが要求される電気加熱装置、特に年配者用あるいは茶道用など、シンプルな機能／操作が要求される個人用／家庭用の電磁加熱装置などに適用して有効である。
【符号の説明】
【００２９】１  プレート体
２  加熱部分
３  操作／表示部
４  操作音オン／オフ・スイッチ
５  電源キー
６  決定キー
７  急速加熱設定キー
８  １０℃単位設定キー
９  １℃単位設定キー
１０  表示部
１０ａ  温度表示部
１０ｂ  動作表示部
１１  電磁加熱体
１２  熱センサ（温度検知手段）
１３  加熱駆動部
１４  電源
１５  マイクロコンピュータ
【図１】
0003180874.tif 000003
【図２】
0003180874.tif 000004
【図３】
0003180874.tif 000005